(57)【特許請求の範囲】
【請求項１】
透光性パネルと、
前記透光性パネル上の領域を設定する領域設定部と、
前記設定された領域に撮影用の光を照射する光照射部と、
前記照射された光の前記透光性パネルからの反射光を撮影する撮影部と、
を備え、
前記光照射部は、前記設定された領域以外の領域に前記撮影用の光より暗い光を投影する
撮像装置。
【請求項２】
前記透光性パネルはタッチパネルであり、
前記領域設定部は、前記タッチパネルで受け付けた操作に基づいて領域を設定する
請求項１に記載の撮像装置。
【請求項３】
前記光照射部は、前記設定された領域に応じた画像を投影するプロジェクタである
請求項１に記載の撮像装置。
【請求項４】
前記透光性パネルを上方から撮影する上方カメラ
をさらに備え、
前記領域設定部は、前記上方カメラが前記透光性パネル上に配置された被写体を撮影した場合に、該被写体を含む画像に基づき、前記透光性パネル上における該被写体の位置に対応する領域を設定するように構成され、
前記光照射部は、前記透光性パネルの下方から前記光を照射するように配置され、
前記撮影部は、前記透光性パネルの下方から前記反射光を撮影するように配置されている
請求項１に記載の撮像装置。
【請求項５】
前記透光性パネルは、部分的に透光性を変化させることができるように構成されており、
前記撮像装置は、さらに、前記透光性パネルの前記設定された領域に対応する部分の透光性が、それ以外の部分の透光性より高くなるように、前記透光性パネルの透光性を変化させる透光性制御部を備える
請求項１に記載の撮像装置。
【請求項６】
透光性パネル上の領域を設定するステップと、
前記設定された領域に撮影用の光を照射するステップと、
前記設定された領域以外の領域に前記撮影用の光より暗い光を投影するステップと、
前記照射された光の前記透光性パネルからの反射光を撮影するステップと、
を含む撮像方法。
【請求項７】
透光性パネル上の領域を設定するステップと、
前記設定された領域に撮影用の光を照射するステップと、
前記設定された領域以外の領域に前記撮影用の光より暗い光を投影するステップと、
前記照射された光の前記透光性パネルからの反射光を撮影するステップと
を撮像装置に実行させるプログラム。
【発明の詳細な説明】
【技術分野】
【０００１】
本発明は、撮像機能及び表示機能を有する撮像装置に関する。
【背景技術】
【０００２】
プロジェクタとＣＣＤカメラとを用いて構成された投射表示機能及び撮像機能を有する装置が知られている。かかる装置は、プロジェクタが読取面に画像を投影する機能、及び読取面上に配置された被写体をＣＣＤカメラで撮影する機能等を有する。また、撮影の際には、プロジェクタは撮影用の光を照射するストロボとして機能する。
例えば下記特許文献１には、中央部分にスクリーンがはめ込まれた平面部と、平面部を支える筐体と、筐体内に設けられ、スクリーンに画像を投影するプロジェクタと、スクリーンの裏面側全体が視野角となる位置に配置され、スクリーンを裏面側から撮影するＣＣＤカメラとを備えている画像表示装置が開示されている。
また、下記特許文献２には、入力画像信号に応じて画像を生成する画像形成手段と、画像形成手段で生成された画像を拡大投射するための投射光学系とからなる画像投射装置と、投射画像を背面から透過させて表示する表示部材と、該表示部材の表示面に形成された情報を撮像する手段とを有し、撮像時に、撮像光の光量を制御する手段として調光シートを設けた撮像機能付投射装置が開示されている。
【先行技術文献】
【特許文献】
【０００３】
【特許文献１】特開２００７−１１２７６号公報
【特許文献２】特開２００９−１７１４４２号公報
【発明の概要】
【発明が解決しようとする課題】
【０００４】
しかしながら、投射表示機能及び撮像機能を有する従来の装置では、撮影時に、読取面全体（例えば、特許文献１におけるスクリーンの下面全体や、特許文献２における表示部材の下面全体）に撮影用の光を照射するので、読取面における被写体に対応しない部分から強い光が透過し、利用者の目が眩むという問題がある。
本発明は、投射表示機能及び撮像機能を有する装置による撮像時の眩しさを低減するための新しい枠組みを提供することを目的とする。
【課題を解決するための手段】
【０００５】
本発明の撮像装置は、透光性パネルと、前記透光性パネル上の領域を設定する領域設定部と、前記設定された領域に撮影用の光を照射する光照射部と、前記照射された光の前記透光性パネルからの反射光を撮影する撮影部と  、を備えることを特徴とする。
【０００６】
本発明の実施態様では、前記透光性パネルはタッチパネルであり、前記領域設定部は、前記タッチパネルで受け付けた操作に基づいて領域を設定する。
別の実施態様では、前記光照射部は、前記設定された領域に応じた画像を投影するプロジェクタである。
また別の実施態様では、前記光照射部は、前記設定された領域以外の領域に前記撮影用の光より暗い光を投影する。
また別の実施態様では、さらに、前記透光性パネルを上方から撮影する上方カメラを備え、前記領域設定部は、前記上方カメラが前記透光性パネル上に配置された被写体を撮影した場合に、該被写体を含む画像に基づき、前記透光性パネル上における該被写体の位置に対応する領域を設定するように構成され、前記光照射部は、前記透光性パネルの下方から前記光を照射するように配置され、前記撮影部は、前記透光性パネルの下方から前記反射光を撮影するように配置されている。
【０００７】
また別の実施態様では、前記透光性パネルは、部分的に透光性を変化させることができるように構成されており、前記撮像装置は、さらに、前記透光性パネルの前記設定された領域に対応する部分の透光性が、それ以外の部分の透光性より高くなるように、前記透光性パネルの透光性を変化させる透光性制御部を備える。
本発明の撮像方法は、透光性パネル上の領域を設定するステップと、前記設定された領域に撮影用の光を照射するステップと、前記照射された光の前記透光性パネルからの反射光を撮影するステップと、を含むことを特徴とする。
本発明のコンピュータプログラムは、上記撮像方法を撮像装置に実行させるためのコンピュータプログラムである。
なお、本発明において、１つの機能部や装置が有する機能が２つ以上の物理的手段や装置により実現されても、２つ以上の機能部や装置の機能が１つの物理的手段や装置により実現されても良い。
【発明の効果】
【０００８】
本発明によれば、透光性パネル上で設定された領域に撮影用の光が照射されるので、被写体の位置に応じた領域を設定すれば、撮影用の光は、被写体に遮られ、利用者側に直接照射されないため、撮影時における眩しさが低減される。
【図面の簡単な説明】
【０００９】
【図１】第１実施形態の撮像装置の全体構成を模式的に示す図である。
【図２】撮像装置のハードウェア構成を示す図である。
【図３】制御装置の機能構成を示す図である。
【図４】撮像装置による領域設定処理及び撮像処理の流れを示すフローチャートである。
【図５】設定された領域に応じた光が照射された場合の透光性パネルの状態を示す図である。
【図６】領域設定方法の一例を説明する図である。
【図７】領域設定方法の一例を説明する図である。
【図８】領域設定方法の一例を説明する図である。
【図９】領域設定方法の一例を説明する図である。
【図１０】領域設定方法の一例を説明する図である。
【図１１】部分的にスクリーンの透光性を変化させることができる場合における撮影方法を説明する図である。
【図１２】上方カメラを備える撮像装置の全体構成を模式的に示す図である。
【図１３】上方カメラを備える撮像装置の撮像装置のハードウェア構成を示す図である。
【発明を実施するための形態】
【００１０】
以下、本発明の実施形態として、投射表示機能及び撮像機能を有する撮像装置１による撮像時の眩しさを低減するための新しい枠組みについて、図面を参照して説明する。
図１は、第１実施形態の撮像装置１の全体構成を模式的に示す。
撮像装置１は、透光性パネル３と、制御装置５と、プロジェクタ７と、カメラ９とを備える。第１実施形態では、例えば、透光性パネル３は筐体１１の上面の一部をなすように配置され、制御装置５、プロジェクタ７、及びカメラ９は、筐体１１内に適宜配置される。なお、図１では、各ハードウェア間を接続するコードや基板を省略している。
【００１１】
透光性パネル３は、ユーザからの操作を受け付けるタッチパネル１３と、画像を表示するスクリーン１５とを適宜の間隔を空けて重ね又は隙間なく重ねてなる透光性を有するパネルを用いる。この透光性パネル３は、カメラ９によって撮影される被写体（例えば、文書や身分証など）を配置するための原稿台及び読み取り面を成す。
【００１２】
タッチパネル１３としては、指や専用のペン（スタイラスペンなど）で電子機器（ここでは撮像装置１）に対して動作を指示することができる透過率の高いタッチパネル（例えば、静電容量方式又は光学方式のものなど）を用いる。
また、スクリーン１５としては、電圧に応じて透光性が変化する部材（例えば、ＵＭＵフィルム（登録商標）など）を用いる。
なお、図１では、透光性パネル３（タッチパネル１３及びスクリーン１５）の厚みを誇張して表示している。
第１実施形態では、図１に示すように、スクリーン１５はタッチパネル１３より大きいものを用いるが、透光性パネル３は、タッチパネル１３のみが利用者に見えるように、筐体１１に取り付けられているものとする。
【００１３】
制御装置５は、透光性パネル３上の領域を設定する機能や、透光性パネル３の透光性（詳細には、スクリーン１５の透光性）を変化させる機能を有する。制御装置５のハードウェア構成及び機能の詳細については、図２及び図３を参照して後述する。
【００１４】
プロジェクタ７は、制御装置５によって設定された透光性パネル３上の領域に対して撮影用の光を照射する機能や、利用者に見せるための画像をスクリーン１５に投影する機能などを有する光照射部である。プロジェクタの種類としては、ＣＲＴプロジェクタ、液晶プロジェクタ、又はＤＬＰプロジェクタ等の周知のものを用いることができる。撮影用の光は、上記設定された領域に応じた画像（例えば、白一色の画像など）をスクリーン１５のうち、上記設定された領域に対応する範囲に投影するための光であり、所謂ストロボの役割を果たす。なお、図において、プロジェクタ７とスクリーン１５との間に示した破線は、プロジェクタ７による光の照射範囲を表す。
【００１５】
カメラ９は、透光性パネル３（詳細にはスクリーン１５）に照射された光の透光性パネル３からの反射光を撮影する撮影部であり、例えばＣＣＤイメージセンサやＣＭＯＳイメージセンサ等の撮像素子を備える周知のデジタルカメラを用いることができる。なお、図において、カメラ９とスクリーン１５との間に示した破線は、カメラ９による撮像範囲を表す。
【００１６】
図２は、撮像装置１のハードウェア構成を示す。
第１実施形態の撮像装置１では、タッチパネル１３、スクリーン１５、プロジェクタ７、及びカメラ９は、それぞれ制御装置５と通信可能に接続される。制御装置５は、バスを介して通信可能に接続される、ＣＰＵ２１、ＲＯＭ２２、ＲＡＭ２３、ＨＤＤ（ハードディスク）２４、及び通信装置２５等の構成要素を含んで構成される。
【００１７】
図３は、制御装置５の機能構成を示す。
制御装置５は、領域設定部３１、透光性制御部３２、照射制御部３３、及び撮影制御部３４を備える。これら機能部は、例えばＣＰＵ２１がＨＤＤ２４やＲＯＭ２２等の記憶装置からＲＡＭ２３上に所定のプログラムを読み出して実行することにより機能的に実現される。以下、各機能部について説明する。
【００１８】
領域設定部３１は、タッチパネル１３で利用者から受け付けた操作に基づいて透光性パネル３上の領域を設定する。具体的には、タッチパネル１３上に配置された被写体について、タッチパネル１３上における位置がタッチパネル操作によって指定された場合に、該指定された位置に対応する領域を、カメラ９によって撮影すべき領域として設定する。領域の詳細な設定方法については、図４〜１０等を参照して後述する。
【００１９】
透光性制御部３２は、スクリーン１５の透光性を変化させる。例えば、利用者に見せるための画像をプロジェクタ７によってスクリーン１５に投射表示する時には、スクリーン１５の透光性を下げ（より不透明（例えば半透明）に変化させ）、カメラ９によって撮影を行う時には、スクリーン１５の透光性を上げる（より透明に変化させる）。
【００２０】
照射制御部３３は、プロジェクタ７からスクリーン１５に対して照射する光の条件（例えば、画像パターン、輝度、色など）を決定し、該決定した条件で光を照射するようにプロジェクタ７を制御する。
【００２１】
撮影制御部３４は、プロジェクタ７が透光性パネル３に対して撮影用の光を照射したタイミングに合わせて、該光の透光性パネル３からの反射光を撮影するようにカメラ９を制御する。
【００２２】
図４は、撮像装置１による領域設定処理及び撮像処理の流れを示すフローチャートであり、図５は、設定された領域に応じた光が照射された場合の透光性パネル３の状態を示し、図６〜１０は、領域設定方法の具体例を示す。以下、図４〜１０を参照して、かかる領域設定処理及び撮像処理の内容を説明する。
なお、領域設定部３１による領域設定処理が実行されるまでは、撮像装置１の透光性制御部３２は、透光性パネル３を不透明（例えば半透明）な状態に維持しており、照射制御部３３は、プロジェクタ７を制御し、所定の光をスクリーン１５に対して照射させ、図５（Ａ）に示すような画面（画像）を表示しているものとする。また、図５（Ａ）において、タッチパネル１３上に示した斜線は、スクリーン１５が不透明な状態であることを表す。
【００２３】
まず、撮像装置１の領域設定部３１は、利用者によるタッチパネル操作に応じて透光性パネル３上の領域を設定する（Ｓ４１）。
例えば、領域設定部３１は、図５（Ａ）に示すように、利用者が被写体（例えば、何らかの文書）５１をタッチパネル１３上に配置し、タッチパネル操作によってタッチパネル１３上における被写体５１の位置を指定したうえで、撮影を指示するためのボタン（図では“Ｓｃａｎ”ボタン）５２を押下したことをトリガとして、該文書の位置に対応する領域を設定する。なお、以下、透光性パネル３において、設定された領域を“設定済み領域”と称し、それ以外の領域を“余白領域”と称する。
【００２４】
領域が設定されると、透光性制御部３２は、透光性パネル３のスクリーン１５の透光性を上げる（Ｓ４２）。例えば、スクリーン１５を透明な状態に変化させる。
【００２５】
照射制御部３３は、スクリーン１５の透光性が上がるタイミング（例えば、透明になるタイミング）に合わせてプロジェクタ７を制御し、図５（Ｂ）に示すように、設定済み領域５４に撮影用の光を照射させ、余白領域５５により暗い光を照射させる（Ｓ４３）。
これにより、タッチパネル１３上に配置された被写体に撮影用の光が照射される。なお、図５（Ｂ）において、余白領域５５に示したドット模様は、該余白領域５５全体に暗い色が照射されていることを表す。また、図５（Ｂ）では、プロジェクタ７による光照射時の透光性パネル３の状態を説明するため、被写体５１の図示を省略した。
【００２６】
そして、撮影制御部３４は、プロジェクタ７が透光性パネル３に撮影用の光を照射したタイミングに合わせてカメラ９を制御し、照射された光の透光性パネル３からの反射光を撮影し（Ｓ４４）、撮影により生成された画像を記憶装置（例えばＨＤＤ２４など）に格納する（Ｓ４５）。これにより、設定済み領域５４、すなわちタッチパネル１３上に配置された被写体が鮮明に表示され、かつ、余白部分５５が暗い色（黒色など）で表示される画像が生成され、記憶装置に格納される。
【００２７】
このように、第１実施形態の撮像装置１では、撮影時には、プロジェクタ７が余白領域５５に対してより暗い色を照射するので、投射表示機能及び撮像機能を有する従来の装置とは異なり、余白領域５５から眩しい光が漏れることがなく、利用者の目が眩むという状況を回避することができる。
【００２８】
次に、タッチパネル操作に応じた透光性パネル３上の領域の設定方法について詳細に説明する。第１実施形態の撮像装置１では、以下の５種類の方法で領域を設定することができるものとする。
【００２９】
［タッチパネル上の一点を押下して領域を指定する方法］
図６（Ａ）に示すように、被写体５１がタッチパネル１３の上辺及び左辺に沿って配置され、図６（Ｂ）に示すように、タッチパネル１３上のポイント（例えば、被写体５１の右下の角）が押下された後、Ｓｃａｎボタン５２（図５（Ａ）参照）が押下された場合、領域設定部３１は、タッチパネル１３の左上の角（例えば、平面座標における原点）を、領域を指定するための第１のポイント（領域指定ポイント）Ｐ１として設定するとともに、押下されたポイントを第２の領域指定ポイントＰ２として設定する。
そして、領域設定部３１は、上記領域指定ポイントＰ１及びＰ２の座標を対角の座標とする正方形又は長方形の領域を設定する。
これにより、図６（Ｃ）に示すように、撮影時には、タッチパネル１３の上辺及び左辺に沿って位置する設定済み領域５４に撮影用の光が照射され、余白領域５５にはより暗い光が照射される。
【００３０】
［タッチパネル上の二点を押下して領域を指定する方法］
図７（Ａ）に示すように、タッチパネル１３上のポイント（例えば、タッチパネル１３上の任意の位置に配置された被写体５１の左上の角）が押下され、続いて図７（Ｂ）に示すように、タッチパネル１３上のポイント（例えば、被写体５１の右下の角）が押下された後、Ｓｃａｎボタン５２が押下された場合、領域設定部３１は、押下された２箇所のポイントを領域指定ポイントＰ１及びＰ２として設定する。
そして、領域設定部３１は、上記領域指定ポイントＰ１及びＰ２の座標を対角の座標とする正方形又は長方形の領域を設定する。
これにより、図７（Ｃ）に示すように、撮影時には、タッチパネル１３上の設定済み領域５４に撮影用の光が照射され、余白領域５５にはより暗い光が照射される。
【００３１】
［ドラッグによって領域を指定する方法］
図８（Ａ）に示すように、タッチパネル１３上のポイント（例えば、タッチパネル１３上の任意の位置に配置された被写体５１の左上の角）が押下され、そのままの状態でタッチパネル１３上の別のポイント（例えば、被写体５１の右下の角）まで指でなぞって押下が終了した後（指が離れた後）、Ｓｃａｎボタン５２が押下された場合、領域設定部３１は、指によるトレース（ドラッグ）の始点と終点を領域指定ポイントＰ１及びＰ２として設定する。
そして、領域設定部３１は、上記領域指定ポイントＰ１及びＰ２の座標を対角の座標とする正方形又は長方形の領域を設定する。
これにより、図８（Ｂ）に示すように、撮影時には、タッチパネル１３上の設定済み領域５４に撮影用の光が照射され、余白領域５５にはより暗い光が照射される。
【００３２】
［タッチパネル上の三点を押下して領域を指定する場合］
図９（Ａ）に示すように、タッチパネル１３上の３つのポイントが押下された後、Ｓｃａｎボタン５２が押下された場合、領域設定部３１は、押下された３箇所のポイントを領域指定ポイントＰ１、Ｐ２、及びＰ３として設定する。
そして、領域設定部３１は、上記領域指定ポイントＰ１、Ｐ２、Ｐ３の座標を３つの角の座標とする正方形、長方形、又は平行四辺形の領域を設定する。
これにより、図９（Ｂ）に示すように、撮影時には、タッチパネル１３上の設定済み領域５４に撮影用の光が照射され、余白領域５５にはより暗い光が照射される。
【００３３】
［任意の形状の領域を指定する方法］
図１０（Ａ）に示すように、タッチパネル１３上のポイント（例えば、タッチパネル１３上の任意の位置に配置された被写体５１の角の一つ）が押下され、そのままの状態で、設定すべき領域の外形（被写体の外形）を指でなぞって押下が終了した後（指が離れた後）、Ｓｃａｎボタン５２が押下された場合、領域設定部３１は、指によってトレース（ドラッグ）された形状に対応する領域を設定する。
これにより、図１０（Ｂ）に示すように、撮影時には、タッチパネル１３上の設定済み領域５４に撮影用の光が照射され、余白領域５５にはより暗い光が照射される。
なお、この方法の別の態様として、タッチパネル１３上の任意のポイントが順次押下（例えば、被写体の角が、その外周に沿って左回りに順次押下）された後、Ｓｃａｎボタン５２が押下された場合、領域設定部３１は、押下されたポイントをそれぞれ領域指定ポイントとして設定する。
そして、領域設定部３１は、設定した領域指定ポイントの座標を角の座標とし、設定した順に領域指定ポイントを結ぶ線分を辺とする形状の領域を設定することができる。
【００３４】
なお、撮像装置１は、上記５種類の領域設定方法を必ずしも全て実施可能に構成する必要はなく、いずれかの方法を任意に選択して実施可能に構成してもよい。
以上のように、第１実施形態の撮像装置１によれば、余白領域５５には撮影用の光が照射されないので、利用者の目を眩ませることなく、透光性パネル３上に配置される被写体５１を撮影することができる。また、タッチパネル１３で受け付けた操作に応じて被写体５１の読み取り範囲（撮影すべき領域、被写体５１の位置に対応する領域、或いは撮影用の光を照射すべき領域ともいえる。）を設定することができるので、被写体５１の配置及び読み取り範囲の指定を容易に行うことができる。
【００３５】
以上、本発明の第１実施形態を説明したが、本発明は、上記実施形態に限定されることなく種々に変形して適用することが可能である。
［変形例］
例えば、透光性パネル３のスクリーン１５は、部分的に透光性を変化させることができるように構成することができる。そして、撮像装置１の透光性制御部３２は、被写体の撮影時には、透光性パネル３上の設定済み領域に対応する部分の透光性が、それ以外の部分の透光性より高くなるように、透光性パネルの透光性を変化させるようにしてもよい。
【００３６】
具体的には、スクリーン１５は、図１１（Ａ）に示すように、透光性を個別に制御可能な複数の区画（ここでは、第１の区画１１１、第２の区画１１２、第３の区画１１３、及び第４の区画１１４）によって構成することができる。なお、図において、タッチパネル１３上に示した斜線は、該タッチパネル１３の模様ではなく、透光性パネル３（詳細にはスクリーン１５）が不透明であることを表している。
そして、領域設定部３１は、第１実施形態において説明した方法で領域を仮設定し、該仮設定された領域にほぼ一致する１つの区画又は複数の区画の組み合わせを、撮影すべき被写体に対応する領域として設定する。例えば、領域設定部３１は、図１１（Ａ）において仮設定した領域が第１の区画１１１とほぼ一致する場合（例えば、第１の区画１１１内に収まる場合）、第１の区画１１１を、撮影すべき被写体に対応する領域として設定する。この場合、透光性制御部３２は、図１１（Ｂ）に示すように、設定済み領域５４（第１の区画１１１）についてのみ透光性を上げ（より透明にし）、余白領域５５（その他の区画１１２〜１１４）については透光性を変化させない（不透明な状態を維持する）。
【００３７】
或いは、領域設定部３１は、図１１（Ａ）において仮設定した領域が第１の区画１１１、第２の区画１１２、及び第３の区画１１３を組み合わせた区画とほぼ一致する場合、これらを組み合わせた区画を、撮影すべき被写体に対応する領域として設定する。この場合、透光性制御部３２は、図１１（Ｃ）に示すように、設定済み領域５４（第１の区画１１１、第２の区画１１２、及び第３の区画１１３）についての透光性を上げ（より透明にし）、余白領域５５（第４の区画１１４）についてのみ透光性を変化させない（不透明な状態を維持する）。
【００３８】
なお、この例では、プロジェクタ７は、第１実施形態と同様に、設定済み領域５４に対しては撮影用の光を照射し、余白領域に対してはより暗い光を照射する。また、図１１（Ｂ）及び図１１（Ｃ）に示すように、余白領域５５のうち、設定済み領域５４からより離れた位置に、利用者の目を引くための情報（アイキャッチャー）１１５を提示してもよい。例えば、図１１（Ｂ）及び図１１（Ｃ）に示すように、被写体が読み取り中（撮影中）であることを表す「ただいま読み取り中です・・・」というメッセージを提示することができる。或いは、動画や広告をアイキャッチャー１１５として提示してもよい。
【００３９】
以上のように、かかる変形例では、撮影時には、設定済み領域５４についてのみ透光性を上げ、余白領域５５については不透明な状態を維持することにより、余白領域５５からの光の透過をより抑えることができるので、利用者の目が眩むという状況をより確実に回避することができる。さらに、余白領域５５のうち設定済み領域５４からより離れた位置に提示されるアイキャッチャー１１５が利用者の目を引くので、利用者の目が眩むという状況をより一層回避することができる。
【００４０】
また例えば、図１２及び図１３に示すように、第１実施形態で説明したのとほぼ同様の機能を有する撮像装置１に、透光性パネル３を上方から撮影する上方カメラ（例えばデジタルカメラ）１２１を備えるようにしてもよい。この例における撮像装置１２２は、第１実施形態と同様に、制御装置５の光照射部（プロジェクタ）７は、透光性パネル３の下方から光を照射するように配置され、撮影部（カメラ）９は、透光性パネル３の下方から透光性パネル３からの反射光を撮影するように配置されている。
撮像装置１２２が第１実施形態の撮像装置１と異なる点は、制御装置５の領域設定部３１は、上方カメラ１２１が透光性パネル（詳細にはタッチパネル１３）上に配置された被写体を撮影した場合に、該被写体を含む画像に基づき、透光性パネル３上における該被写体の位置に対応する領域を設定するように構成されている点である。かかる画像に基づき領域を設定する方法は、画像中の特定の物体の位置を認識する周知の画像処理技術を用いて実現することができる。
【００４１】
詳細には、撮像装置１２２の撮影制御部３４（図３参照）は、利用者によってタッチパネル３上に被写体が配置され、透光性パネル３に表示されているＳｃａｎボタン５２（図５参照）が押下されたことをトリガとして、上方カメラ１２１を制御し、被写体を含む透光性パネル３を撮影する。そして、領域設定部３１は、該撮影により生成された画像に基づき、透光性パネル３上における領域を設定する。なお、透光性パネル３上の領域が設定された後の情報処理については、第１実施形態と同様である。
【００４２】
また例えば、図１及び図１２に示すように、透光性パネル３を構成するスクリーン１５がタッチパネル１３より大きく作られている場合には、透光性パネル３は、タッチパネル１３及びスクリーン１５それぞれの全体が利用者に見えるように筐体１１に取り付けてられていてもよい。この場合、被写体の撮影時には、スクリーン１５のうちタッチパネル１３と重なっていない部分に、利用者の目を引くための情報（アイキャッチャー）を提示してもよい。
【００４３】
また例えば、撮像装置１及び撮像装置１２２では、透光性パネル３からの反射光を撮影する撮影部としてカメラ９を備えているが、周知のイメージスキャナを採用してもよい。
【符号の説明】
【００４４】
１，１２２…撮像装置
３…透光性パネル
５…制御装置
７…プロジェクタ
９…カメラ
１１…筐体
１３…タッチパネル
１５…スクリーン
３１…領域設定部
３２…透光性制御部
３３…照射制御部
３４…撮影制御部
５４…設定済み領域
５５…余白領域
１１５…アイキャッチャー
１２１…上方カメラ
【図１】
0005550111.tif 000002
【図２】
0005550111.tif 000003
【図３】
0005550111.tif 000004
【図４】
0005550111.tif 000005
【図５】
0005550111.tif 000006
【図６】
0005550111.tif 000007
【図７】
0005550111.tif 000008
【図８】
0005550111.tif 000009
【図９】
0005550111.tif 000010
【図１０】
0005550111.tif 000011
【図１１】
0005550111.tif 000012
【図１２】
0005550111.tif 000013
【図１３】
0005550111.tif 000014